(57)【要約】【課題】燃料としての質の低下を抑制しつつ、有機汚泥類の乾燥を迅速に行うことができる有機汚泥類乾燥方法を提案する。【解決手段】堆積した有機汚泥類に該有機汚泥類の容重（ｋｇ／Ｌ）に基づいた通気量で高温ガスＧを通気させて好気性好熱細菌による好気性発酵を促進し、該好気性発酵によって生じた発酵熱により、該有機汚泥類を乾燥させる。【選択図】図４
2018034099.tif 000002
【特許請求の範囲】
【請求項１】
堆積した有機汚泥類に該有機汚泥類の容重（ｋｇ／Ｌ）に基づいた通気量で高温ガスを通気させて好気性好熱細菌による好気性発酵を促進し、該好気性発酵によって生じた発酵熱により、該有機汚泥類を乾燥させることを特徴とする有機汚泥類乾燥方法。
【請求項２】
請求項１に記載の有機汚泥類乾燥方法において、
前記高温ガスの通気量は、以下の条件式（１）を満足していることを特徴とする有機汚泥類乾燥方法。
０．７３×Ｄ−０．０９  ＜  Ｖ  ≦  ０．６７×Ｄ＋０．２３  ・・・（１）
ただし、条件式（１）におけるＤは前記有機汚泥類の容重（ｋｇ／Ｌ）、Ｖは前記高温ガスの通気量（ｍ３／ｍ３−有機汚泥類／分）である。
【請求項３】
請求項２に記載の有機汚泥類乾燥方法において、
前記高温ガスの通気量は、以下の条件式（２）を満足していることを特徴とする有機汚泥類乾燥方法。
０．５７×Ｄ＋０．０９  ≦  Ｖ  ≦  ０．５７×Ｄ＋０．１０  ・・・（２）
ただし、条件式（２）におけるＤは前記有機汚泥類の容重（ｋｇ／Ｌ）、Ｖは前記高温ガスの通気量（ｍ３／ｍ３−有機汚泥類／分）である。
【請求項４】
請求項１〜請求項３のいずれか１項に記載の有機汚泥類乾燥方法において、
乾燥させる前における有機汚泥類の容重は、０．４ｋｇ／Ｌ〜０．７ｋｇ／Ｌの範囲内であることを特徴とする有機汚泥類乾燥方法。
【請求項５】
請求項１〜請求項４のいずれか１項に記載の有機汚泥類乾燥方法において、
前記高温ガスの温度は、５０℃以上１４０℃以下であることを特徴とする有機汚泥類乾燥方法。
【請求項６】
請求項１〜請求項５のいずれか１項に記載の有機汚泥類乾燥方法において、
前記有機汚泥類に有機材料を含む水分調整材を混合して、該有機汚泥類の水分量を５５〜７０質量％にした後、前記高温ガスを通気させることを特徴とする有機汚泥類乾燥方法。
【請求項７】
請求項１〜請求項６のいずれか１項に記載の有機汚泥類乾燥方法において、
前記高温ガスは、セメント製造設備からの排ガスであることを特徴とする有機汚泥類乾燥方法。
【請求項８】
請求項１〜請求項７のいずれか１項に記載の有機汚泥類乾燥方法で前記有機汚泥類を乾燥させた後、該有機汚泥類を所定の形状に成形して燃料を製造することを特徴とする燃料製造方法。
【発明の詳細な説明】
【技術分野】
【０００１】
本発明は、下水汚泥等の有機汚泥類の乾燥方法、及び、乾燥させた有機汚泥類を用いて燃料を製造する燃料製造方法に関する。
【背景技術】
【０００２】
従来、下水汚泥等の有機汚泥類を脱水し乾燥した後に、燃料化する燃料の製造方法が知られている。この種の燃料の製造方法における乾燥方法としては、好気性好熱細菌を使用して有機汚泥類を発酵させ、その発酵の際に発生する発酵熱を利用する方法が知られている（例えば、特許文献１参照）。
【０００３】
ここで、有機汚泥類とは、下水汚泥、製紙汚泥、ビルピット汚泥、食品汚泥、消化汚泥、都市ごみ（家庭ごみ）等であり、好気性発酵が可能なものをいう。
【先行技術文献】
【特許文献】
【０００４】
【特許文献１】特開２０１３−０７２０５１号公報
【発明の概要】
【発明が解決しようとする課題】
【０００５】
しかし、特許文献１に記載の従来の方法では、発酵した有機汚泥類に可燃性廃棄物、固形燃料等の発熱量調整剤を添加して発熱量を上昇させることによって燃料としての質を高めているものの、有機汚泥類の十分な乾燥を行うためには、１〜２カ月かかるという問題があった。そのため、従来の方法では、発酵が促進しやすい状態を長期間維持しなければならず、燃料化施設の設備コストや運転コストが増大してしまうおそれがあった。
【０００６】
ところで、乾燥した有機汚泥類を材料とした燃料は、有機汚泥類に含まれる有機分が多いほど燃料としての質の高いものとなる。しかし、発酵熱による乾燥を行うと、発酵の際に有機汚泥類に含まれる有機分が減少する。そのため、従来の方法によって有機汚泥類を長期間乾燥させると、その有機汚泥類を材料とする燃料の質が低下してしまうおそれがあった。
【０００７】
本発明は以上の点に鑑みてなされたものであり、燃料としての質の低下を抑制しつつ、有機汚泥類の乾燥を迅速に行うことができる有機汚泥類乾燥方法及びそれを用いた燃料製造方法を提案することを目的とする。
【課題を解決するための手段】
【０００８】
本願の発明者は、上記目的を達成するために、鋭意検討した結果、有機汚泥類の乾燥に際し、発酵だけではなく高温ガスの通気を併用した場合、有機汚泥類の水分の低減のし易さ、及び、乾燥熱量に占める好気性発酵による発酵熱の割合が良好となる処理条件が、有機汚泥類の容重（ｋｇ／Ｌ）で異なることを見出した。
【０００９】
ここで、容重とは、環境省通達環整九五号の単位容積重量の測定方法に準拠して、有機汚泥類を円筒形状の内容積１Ｌの容器に入れ、３０ｃｍの高さから３回落とした後、目減り量を補充してすり切った場合の重量（ｋｇ）をいう。
【００１０】
すなわち、上記目的を達成するために、本発明の有機汚泥類乾燥方法は、堆積した有機汚泥類に該有機汚泥類の容重（ｋｇ／Ｌ）に基づいた通気量で高温ガスを通気させて好気性好熱細菌による好気性発酵を促進し、該好気性発酵によって生じた発酵熱により、該有機汚泥類を乾燥させることを特徴とする
このように、本発明の有機汚泥類乾燥方法では、有機汚泥類に高温ガスを通気することによって、有機汚泥類の温度を上昇させて、好気性好熱細菌による好気性発酵を促進している。そのため、通気する高温ガスそのものと通気によって増加した発酵熱とにより有機汚泥類が乾燥されることになる。したがって、本発明の有機汚泥類乾燥方法によれば、従来の方法に比べ非常に迅速に、有機汚泥類の十分な乾燥を行うことができる。
【００１１】
例えば、容重が０．２〜０．７ｋｇ／Ｌの有機汚泥類を屋内ヤードに堆積させた状態で、５０℃以上１４０℃以下の高温ガスを、有機汚泥類１ｍ３あたり０．２ｍ３／分以上、０．４ｍ３／分以下の割合で通気すると、１〜４日で燃料として使用し得る程度に乾燥させることができる。これに対し、従来の方法のように高温ガスの通気を行わずに発酵熱のみによる乾燥を行った場合には、乾燥するまでに１〜２か月もの時間が必要となる。
【００１２】
また、本発明の有機汚泥類乾燥方法では、容重に応じて通気させる高温ガスの量を制御することによって、過剰な発酵を防止している。これにより、燃料としての質に影響する有機分の低減を抑制している。したがって、本発明の有機汚泥類乾燥方法によれば、乾燥させた有機汚泥類の燃料としての質の低下が防止される。
【００１３】
また、本発明の有機汚泥類乾燥方法においては、前記高温ガスの通気量は、以下の条件式（１）を満足していることが好ましい。
０．７３×Ｄ−０．０９  ＜  Ｖ  ≦  ０．６７×Ｄ＋０．２３  ・・・（１）
ただし、条件式（１）におけるＤは前記有機汚泥類の容重（ｋｇ／Ｌ）、Ｖは前記高温ガスの通気量（ｍ３／ｍ３−有機汚泥類／分）である。
【００１４】
また、本発明の有機汚泥類乾燥方法においては、前記高温ガスの通気量は、以下の条件式（２）を満足していることがさらに好ましい。
０．５７×Ｄ＋０．０９  ≦  Ｖ  ≦  ０．５７×Ｄ＋０．１０  ・・・（２）
ただし、条件式（２）におけるＤは前記有機汚泥類の容重（ｋｇ／Ｌ）、Ｖは前記高温ガスの通気量（ｍ３／ｍ３−有機汚泥類／分）である。
【００１５】
この上記条件式（１）の範囲内、さらに好ましくは上記条件式（２）の範囲内で高温ガスを通気させると、有機汚泥類の水分減量率における発酵寄与率を高めつつ、有機分分解率を燃料として使用する際に問題がない範囲に抑制しやすくなる。
【００１６】
また、本発明の有機汚泥類乾燥方法においては、乾燥させる前における前記有機汚泥類の容重は、０．４ｋｇ／Ｌ〜０．７ｋｇ／Ｌの範囲内であることが好ましい。
【００１７】
乾燥させる前における有機汚泥類の容重を上記の範囲とすると、高温ガスを適度に通気させやすくなるので、さらに良好に乾燥を行うことができる。
【００１８】
また、本発明の有機汚泥類乾燥方法においては、前記高温ガスの温度は、５０℃以上１４０℃以下であることが好ましい。
【００１９】
このように高温ガスの温度を設定すると、有機汚泥類の温度を、好気性好熱細菌による発酵が適度に行われる範囲に設定しやすくなる。また、有機汚泥類内に存在していた大腸菌や寄生虫卵を死滅させることができる。
【００２０】
また、本発明の有機汚泥類乾燥方法においては、前記有機汚泥類に有機材料を含む水分調整材を混合して、該有機汚泥類の水分量を５５〜７０質量％にした後、前記高温ガスを通気させることが好ましい。
【００２１】
このように乾燥前の有機汚泥類の水分量を設定すると、水分調整材に含まれる有機材料によって、発酵の促進及び燃料としての有機分の補充を行うことができる。また、高温ガスの通気のし易さも向上するので、通気による乾燥も効率よく行うことができる。
【００２２】
また、本発明の有機汚泥類乾燥方法においては、前記高温ガスは、セメント製造設備からの排ガスであることが好ましい。
【００２３】
有機汚泥類を乾燥することで得られた燃料は、セメント製造に用いられることが多いので、高温ガスとしてセメント製造設備からの排ガスを利用するようにすると、設備の簡略化を行うことができる。さらに、セメント製造設備からの排ガスは、適度に高温なものであるので、ガスの温度を上昇させて高温ガスを生成するための設備を小型化又は省略ができる。
【００２４】
また、上記目的を達成するために、本発明の燃料製造方法は、上記いずれかの有機汚泥類乾燥方法で前記有機汚泥類を乾燥させた後、該有機汚泥類を所定の形状に成形して燃料を製造することを特徴とする。
【００２５】
このように、本発明の燃料製造方法では、上記いずれかの有機汚泥類乾燥方法を用いて燃料を製造しているので、従来の方法に比べ非常に迅速に、質の高い燃料を製造することができる。
【図面の簡単な説明】
【００２６】
【図１】実施形態に係る汚泥処理施設の概略構成を示す説明図。
【図２】図１の汚泥処理施設の汚泥発酵槽の構造を模式的に示す説明図であり、図２Ａは幅方向の断面図、図２Ｂは長手方向の断面図。
【図３】図２の汚泥発酵槽の高温ガス用配管の平面図。
【図４】図１の汚泥処理施設で行われる有機汚泥類の乾燥方法及び燃料製造方法における処理を示すフローチャート。
【図５】有機汚泥類の乾燥処理の試験結果を示すグラフであり、横軸は有機汚泥類の容重、縦軸は高温ガスの通気量を示す。
【発明を実施するための形態】
【００２７】
以下、図面を参照して、本発明に係る有機汚泥類乾燥方法及び燃料製造方法を行うための汚泥処理施設及び燃料製造工場について説明する。
【００２８】
ここで、有機汚泥類とは、下水汚泥、製紙汚泥、ビルピット汚泥、食品汚泥、消化汚泥、都市ごみ（家庭ごみ）等であり、好気性発酵が可能なものをいう。
【００２９】
まず、図１〜図３を参照して、汚泥処理施設Ｐの概略構成について説明する。なお、図１において、実線の矢印は液類の流れを示し、破線の矢印はガスの流れを示している。
【００３０】
汚泥処理施設Ｐは、セメント製造工場内（不図示）で発生した排ガスを高温ガスＧ１として利用するために、セメント製造工場の構内、又は、近接地に設けられている。また、汚泥処理施設Ｐの構内、又は、近接地には、汚泥処理施設Ｐで処理された有機汚泥類を材料として燃料を製造する燃料製造工場（不図示）が設けられている。
【００３１】
図１に示すように、汚泥処理施設Ｐは、密閉性の高い建屋１と、建屋１の内部に複数配置された汚泥発酵槽２と、汚泥発酵槽２に高温ガスＧ１を供給する供給管３と、建屋１の内部の雰囲気ガスＧ２を排出するための排気管４と、排気管４を介して建屋１の内部の雰囲気ガスＧ２が流入する臭気脱臭装置５と、建屋１の天井に配置された複数の冷却管６と、冷却管６から回収水Ｗを捕集するためのスクレーパ７と、スクレーパ７で捕集された回収水Ｗを排出するための排水管８と、排水管８を介して回収水Ｗが流入する凝縮水タンク９とを備えている。
【００３２】
供給管３は、セメント製造工場のセメントキルンＫからの排ガス（５０℃〜１４０℃）を、高温ガスＧ１として複数の汚泥発酵槽２の各々に供給する。供給管３のセメントキルンＫと汚泥発酵槽２との間には、流量計付きのガス流量調整弁３ａが設けられている。このガス流量調整弁３ａにより、汚泥発酵槽２に供給される高温ガスＧ１の流量が制御されている。
【００３３】
高温ガスＧ１として用いることが可能な排ガスとしては、セメントキルンＫからの排ガスの他、クリンカクーラ、廃熱ボイラ、塩素バイパス系からの排ガス等が用い得る。特に、温度、水分含有量及び酸素含有率を考慮すると、クリンカクーラや塩素バイパス系の間接冷却器からの排ガスを用いることが好ましい。
【００３４】
臭気脱臭装置５は、処理中の有機汚泥類から発生した臭気ガス等の雰囲気ガスＧ２を脱臭した後、大気に放出して排気する。この臭気脱臭装置５では、例えば、酸化剤であるオゾンと、反応効率を改善するためにオゾンを吸着する高シリカ質のハニカム状触媒とを組み合わせたもの等の酸化触媒とを使用して、アンモニアやアルデヒド等を脱臭処理して雰囲気ガスＧ２を清浄する。また、触媒として活性炭を用いたり、生物脱臭等を行ったりしてもよい。
【００３５】
冷却管６は、管内に流れる冷却水によって、雰囲気ガスＧ２に含まれる水蒸気を凝集し、表面に付着させる。スクレーパ７は、冷却管６の表面に沿って移動可能に構成されており、冷却管６の表面に付着している水を捕集する。捕集された水は、回収水Ｗとして、排水管８を介して、凝縮水タンク９に搬送され、貯留される。
【００３６】
このようにして貯留された回収水Ｗは、冷却管６を流れる冷却水、又は、併設されているセメント工場及び燃料製造工場等で用いられる各種工程水として利用される。具体的には、脱硝剤の希釈水、汚泥の潤滑水、熱交換管用の冷却水、生物脱臭槽の散水用水等の各種工程水として利用される。
【００３７】
なお、汚泥処理施設Ｐにおいては、高温ガスＧ１として、セメント製造工場で発生した排ガスを利用している。これにより、汚泥処理施設Ｐの設備の簡略化やガスの温度を上昇させて高温ガスを生成するための設備を省略している。しかし、本発明における高温ガスは、セメント製造工場で発生した排ガスに限定されるものではない。例えば、別途熱源を設け、空気等の気体を加熱して、高温ガスを生成するようにしてもよい。
【００３８】
また、汚泥処理施設Ｐにおいては、冷却管６を建屋１の天井に複数並列して配置しているが、冷却管の配置位置や数、各冷却管の相対位置は、建屋の形状に応じて、適宜変更してもよい。例えば、天井だけでなく壁にも配置してもよいし、網目状に配置してもよい。
【００３９】
また、汚泥処理施設Ｐにおいては、雰囲気ガスＧ２を脱臭処理するために、臭気脱臭装置５を設けている。しかし、臭気脱臭装置５を設けずに、雰囲気ガスＧ２をセメント製造工場の燃焼設備で高温処理するようにしてもよい。
【００４０】
次に、図２及び図３を参照して、有機汚泥類Ｓを堆積するとともに、高温ガスＧ１を通気して乾燥するための汚泥発酵槽２について詳細に説明する。
【００４１】
図２に示すように、汚泥発酵槽２は、有機汚泥類Ｓを堆積し、発酵させるための発酵槽本体２ａと、発酵槽本体２ａの内側底部に形成された砂利層２ｂと、砂利層２ｂに埋設され、供給管３（図１参照）に接続された高温ガス用配管２ｃとを有している。
【００４２】
発酵槽本体２ａは、高さ３ｍ、幅２．５ｍ、長さ３０ｍの直方体であり、上部が開口されている。砂利層２ｂは、発酵槽本体２ａの内部に、０．１ｍ〜０．２ｍの厚さとなるようにして形成されている。この発酵槽本体２ａでは、有機汚泥類Ｓを、砂利層２ｂの上に２ｍ程度の高さとなるまで投入することができるようになっている。
【００４３】
図３に示すように、砂利層２ｂに埋設されている高温ガス用配管２ｃは、直径５ｃｍの管部２ｃ１の上面側に約４ｃｍ間隔で、吹出口２ｃ２が複数形成されている。この吹出口２ｃ２からは、供給管３を介して高温ガス用配管２ｃに供給された高温ガスＧ１が吹き出す。
【００４４】
汚泥発酵槽２では、砂利層２ｂを介して、高温ガス用配管２ｃから吹き出された高温ガスＧ１を有機汚泥類Ｓに通気させている。すなわち、砂利層２ｂによって、高温ガス用配管２ｃと有機汚泥類Ｓとの直接の接触が防止されている。
【００４５】
これにより、砂利層２ｂによって高温ガス用配管２ｃを保護して、吹出口２ｃ２が有機汚泥類Ｓに閉塞されることを防止している。また、砂利層２ｂを介して高温ガスＧ１を供給する（すなわち、砂利層２ｂを形成する砂利同士の隙間を高温ガスＧ１の通路とする）ことによって、有機汚泥類Ｓに対して高温ガスＧ１を吹き付け可能な面積を広げ、高温ガスＧ１と有機汚泥類Ｓとを効率的に接触できるようにしている。
【００４６】
なお、汚泥発酵槽２の形状（すなわち、容量）及び設置基数は、供給可能な高温ガスＧ１の量に応じて、適宜変更してよい。また、砂利層２ｂの厚さも適宜変更してよい。さらに、汚泥発酵槽としては、高温ガス用配管を発酵槽本体の底面部と一体化するとともに砂利層を省略したものを用いてもよい。
【００４７】
次に、図１及び図４を参照して、汚泥処理施設Ｐで行われる有機汚泥類の乾燥処理及び燃料製造工場で行われる燃料製造処理について説明する。なお、図４は、汚泥処理施設Ｐ及び燃料製造工場で行われる各工程を示すフローチャートである。
【００４８】
まず、汚泥処理施設Ｐに運び込まれた種々の有機汚泥類を混合撹拌して、発酵させる有機汚泥類を全体が均質な状態とする（図４／ＳＴＥＰ１）。
【００４９】
この混合撹拌は、有機汚泥類の好気性発酵を汚泥全体で同程度に生じさせるために行われるものである。そのため、乾燥させる有機汚泥類が１か所から搬送されたものである場合等、有機汚泥類が当初から均質なものである場合には、この工程は省略してもよい。
【００５０】
次に、均質化した有機汚泥類に、好気性好熱細菌の担体となる有機材料を含む水分調整材（例えば、木屑や廃畳等）を混合させる（図４／ＳＴＥＰ２）。
【００５１】
このように、水分調整材として有機材料を用いると、発酵の促進及び燃料としての有機分が補充される。また、高温ガスＧ１の通気のし易さも向上するので、通気による乾燥も効率よく行うことができるようになる。
【００５２】
また、混合する水分調整材の混合量は、混合後の有機汚泥類の水分量が５５〜７０質量％となる量とするとよい。例えば、均質化後の有機汚泥類の水分量は一般的に７５〜８５質量％であるので、水分量を２０質量％程度低減する量が最適な混合量となる。
【００５３】
また、混合後の有機汚泥類の容重は、高温ガスＧ１の通気性や発酵させやすさの点から、０．４ｋｇ／Ｌ〜０．７ｋｇ／Ｌの範囲内となるようにするとよい。
【００５４】
なお、有機汚泥類の均質化のための撹拌、及び、水分調整材の混合は、臭気対策として、建屋１の内部の土間等の密閉された空間で行うとよい。
【００５５】
次に、水分調整材が混合された有機汚泥類に、好気性好熱細菌を投入し、さらに混合する（図４／ＳＴＥＰ３）。
【００５６】
好気性好熱細菌としては、市販のものを用いればよい。例えば、商品名：ウルトラバイオ高温菌（株式会社コスモスエンタープライズ製）等を用いればよい。
【００５７】
次に、有機汚泥類の特性値（具体的には、容重、水分量及び灰分量）の測定を行う（図４／ＳＴＥＰ４）。
【００５８】
次に、有機汚泥類を、全体として高さが均一になるように、汚泥発酵槽２に投入する（図４／ＳＴＥＰ５）。
【００５９】
次に、有機汚泥類に通気させる高温ガスＧ１の通気量を決定する（図４／ＳＴＥＰ６）。
【００６０】
具体的には、有機汚泥類に通気させる高温ガスＧ１の通気量は、ＳＴＥＰ４で測定された特性の１つである有機汚泥類の容重（ｋｇ／Ｌ）、及び、ＳＴＥＰ５で各汚泥発酵槽２に投入された有機汚泥類の体積（ｍ３）に基づいて、以下の条件式（１）を用いて決定される。
０．７３×Ｄ−０．０９  ＜  Ｖ  ≦  ０．６７×Ｄ＋０．２３  ・・・（１）
ただし、条件式（１）におけるＤは有機汚泥類の容重（ｋｇ／Ｌ）、Ｖは高温ガスＧ１の通気量（ｍ３／ｍ３−有機汚泥類／分）である。
【００６１】
さらに好ましくは、以下の条件式（２）を満足するように決定される。
０．５７×Ｄ＋０．０９  ≦  Ｖ  ≦  ０．５７×Ｄ＋０．１０  ・・・（２）
ただし、条件式（２）におけるＤは有機汚泥類の容重（ｋｇ／Ｌ）、Ｖは高温ガスＧ１の通気量（ｍ３／ｍ３−有機汚泥類／分）である。
【００６２】
この上記条件式（１）の範囲内、さらに好ましくは上記条件式（２）の範囲内で高温ガスＧ１を通気させることにより、有機汚泥類の水分減量率における発酵寄与率が十分な高さとなり、かつ、有機分分解率が燃料として使用する際に問題がない範囲に抑制される。
【００６３】
なお、上記条件式（１），（２）によらず、高温ガスＧ１の通気量を増加させた場合には、有機汚泥類の処理量を増加することが可能となる。しかし、高温ガスＧ１の通気量が過剰になると、有機汚泥類の発酵熱による水分低減の寄与割合が低減して、発酵熱に対する乾燥できる有機汚泥類の量が低下することになる。
【００６４】
また、通気する高温ガスＧ１としては、セメントキルンＫからの排ガスが用いられている。この排ガスは、温度が５０℃〜１４０℃であり、水分含有率が低く、さらに酸素含有率が大気成分とほぼ同様となっている。
【００６５】
このような温度範囲の高温ガスを用いると、常温ガスを用いた場合と比較して、供給される熱量によって発酵が促進され、有機汚泥類の発酵が効率的に生じる。また、有機汚泥類内に存在している大腸菌や寄生虫卵を死滅させることができる。なお、発酵過程の有機汚泥類の温度は、使用する高温ガスＧ１の温度範囲がこの範囲である限り、高温ガスＧ１の温度に影響されず、６０℃〜７０℃で安定する。
【００６６】
また、水分含有率の低いガスを用いることによって、効果的に有機汚泥類の水分減量率を向上させることができる。また、酸素含有率が大気成分とほぼ同様のガスを用いることによって、有機汚泥類の発酵効率を向上させることができる。
【００６７】
次に、有機汚泥類に決定された通気量で高温ガスを通気させて乾燥させる（図４／ＳＴＥＰ７）。
【００６８】
具体的には、上記条件式（１），（２）によって決定した通気量となるように、供給管３に設けられたガス流量調整弁３ａで高温ガスＧ１の流量を制御する。これにより、汚泥発酵槽２の底部に配置されている高温ガス用配管２ｃから吹き出された高温ガスＧ１は、砂利層２ｂを介して、有機汚泥類に浸透する。
【００６９】
このように有機汚泥類に高温ガスＧ１が通気されると、高温ガスＧ１から酸素が供給されることによって、好気性好熱細菌による有機汚泥類の発酵が促進され、その発酵熱により有機汚泥類の温度が上昇する。すなわち、通気する高温ガスそのものと通気によって増加した発酵熱とにより有機汚泥類が乾燥されることになる。
【００７０】
以上のＳＴＥＰ１〜ＳＴＥＰ７までの処理が、汚泥処理施設Ｐで行われる有機汚泥類乾燥方法である。
【００７１】
このように、有機汚泥類処理施設Ｐで行われる有機汚泥類乾燥方法では、有機汚泥類に高温ガスを通気することによって、有機汚泥類の温度を上昇させて、好気性好熱細菌による好気性発酵を促進している。そのため、通気する高温ガスそのものと通気によって増加した発酵熱とにより有機汚泥類が乾燥されることになる。したがって、有機汚泥類処理施設Ｐで行われる有機汚泥類乾燥方法によれば、従来の方法に比べ非常に迅速に、有機汚泥類の十分な乾燥を行うことができる。
【００７２】
また、有機汚泥類処理施設Ｐで行われる有機汚泥類乾燥方法では、容重に応じて通気させる高温ガスの量を制御することによって、過剰な発酵を防止している。これにより、有機汚泥類に含まれる有機分の低減を抑制している。したがって、有機汚泥類処理施設Ｐで行われる有機汚泥類乾燥方法によれば、乾燥させた有機汚泥類の燃料としての質の低下が防止される。
【００７３】
その後、乾燥させた有機汚泥類を粒状化燃料とするために成形する（図４／ＳＴＥＰ８）。
【００７４】
このＳＴＥＰ８の処理が、汚泥処理施設Ｐに併設された燃料製造工場で行われる燃料製造方法である。
【００７５】
具体的には、乾燥させた有機汚泥類に発熱量調整材を混合した後、加圧成形装置で粒状化させる。なお、発熱量調整材としては、廃プラ類、塗料カス、廃油等の可燃性廃棄物、固形燃料等を用いることができる。なお、燃料として要求される発熱量がそれほど高くない場合等には、発熱量調整材を混合させなくてもよい。また、燃料の形状は粒状の他、適宜変更してもよく、乾燥後の有機汚泥類のハンドリング性に問題がない場合は成型しなくてもよい。
【００７６】
最後に、図５を参照して、上記の乾燥処理に係る試験結果について説明する。なお、図５は、乾燥処理に係る試験結果を示すグラフであり、横軸は有機汚泥類の容重、縦軸は高温ガスの通気量を示す。
【００７７】
まず、各種特性値の定義を説明する。
水分減量率（％）は、下記の式（３）で表される。この水分減量率は、乾燥処理前の有機汚泥類（いわゆる脱水ケーキ）の水分量Ｗ１（質量％）を１００とした場合における、水分量Ｗ１と乾燥処理後の有機汚泥類の水分量Ｗ２（質量％）との差分（減量分）である。
水分減量率（％）  ＝  （Ｗ１−Ｗ２）／Ｗ１×１００  ・・・（３）
【００７８】
この水分減量率が大きい有機汚泥類ほど、含有される水分量が少なく燃料化には好ましいものとなる。なお、有機汚泥類に含まれる水分量の測定は、環境省通達環整九五号の水分の測定方法に準拠して行えばよい。
【００７９】
有機分分解率（％）は、下記の式（４）で表される。この有機分分解率は、乾燥処理前の有機汚泥類の灰分量（Ａ１）と乾燥処理後の有機汚泥類の灰分量（Ａ２）とに基づいて求められる。
有機分分解率（％）  ＝  （Ａ２−Ａ１）／Ａ１×１００  ・・・（４）
【００８０】
この有機分分解率が大きい程、有機汚泥類中の有機分が分解され、発酵熱が多量に発生したことを意味するが、一方で、最終的な燃料としての有機分が減少することにもなる。そのため、燃料化の材料とするために発酵熱を利用した乾燥を行う場合には、発酵による発熱量と有機分の減少とのバランスをとる必要がある。なお、有機汚泥類に含まれる灰分量の測定は、環境省通達環整九五号の灰分の測定方法に準拠して行えばよい。
【００８１】
発酵熱寄与率（％）は、下記の式（５）で表される。この発酵熱寄与率は、有機汚泥類の乾燥に用いられた全熱量に対する、有機汚泥類中の有機分の発酵による発熱量（発酵熱量）の比率を表す。
発酵熱寄与率（％）  ＝  
発酵熱量＊１（ＭＪ／ｋｇ−有機汚泥類）
／（有機汚泥類の水分蒸発潜熱＊２（ＭＪ／ｋｇ−有機汚泥類）
＋有機汚泥類の昇温熱量＊３（ＭＪ／ｋｇ−有機汚泥類））×１００  ・・・（５）
＊１：発酵熱量＝１７．６ＭＪ／ｋｇ−有機汚泥類×有機分分解率（％）
＊２：有機汚泥類の水分蒸発潜熱＝水分減量率（％）／１００×２．２５７
＊３：有機汚泥類の昇温熱量＝（Ｔ１−Ｔ２）×２．１×１０−６
ただし、「２．１」との値は有機汚泥類の比熱（ｋＪ／ｋｇ／Ｋ）、Ｔ１は乾燥時の有機汚泥類の温度（℃）（代表値：６５）、Ｔ２は乾燥処理前の有機汚泥類の温度（℃）（代表値：２５）である。
【００８２】
この発酵熱寄与率が大きい程、発酵のために消費された有機分に対して発酵熱が効率的に生じていることになるので、乾燥後の有機汚泥類が燃料として好ましいものとなる。
【００８３】
発酵寄与率（％）は、下記の式（６）で表される。この発酵寄与率は、有機汚泥類の水分減量率において発酵熱が寄与した比率を表す。
発酵寄与率（％）＝  水分減量率（％）×発酵熱寄与率（％）／１００  ・・・（６）
【００８４】
この発酵寄与率が大きい程、外部からの熱量供給に対して有機汚泥類の水分が効率的に減少していることになるので、供給熱量に対して効率的に有機汚泥類が乾燥されていることになる。
【００８５】
乾燥寄与率（％）は、下記式（７）で表される。この乾燥寄与率は、有機汚泥類の水分減量率において高温ガスが寄与した比率を表す。
乾燥寄与率（％）  ＝  水分減量率（％）−発酵寄与率（％）  ・・・（７）
【００８６】
この乾燥寄与率が小さい程、外部からの熱量供給に対して有機汚泥類の水分が効率的に減少していることになるので、供給熱量に対して効率的に有機汚泥類が乾燥されていることになる。
【００８７】
次に、試験方法について説明する。
試料として、下記の表１に記載の３種類の下水汚泥を用いた。これらの下水汚泥は、汚泥処理施設Ｐにおいて均質化、水分調整材の混合及び好気性好熱細菌の投入を行ったもの（具体的には、乾燥処理におけるＳＴＥＰ１〜ＳＴＥＰ３の工程を行ったもの）である。
【００８８】
【表１】
2018034099.tif 000003
【００８９】
これらの３種類の試料の各々に対し、下記の表２に記載の条件（試験水準）で高温ガスＧ１を３日間（７２時間）通気させた。
【００９０】
【表２】
2018034099.tif 000004
【００９１】
次に、試験結果について説明する。
【００９２】
以下の表３〜表５に、各試料における試験結果を示す。なお、表３は下水汚泥Ａに関する試験結果、表４は下水汚泥Ｂに関する試験結果、表５は下水汚泥Ｃに関する試験結果を示す。また、「試験水準」は、上記の表２に記載の試験条件を表す。
【００９３】
【表３】
2018034099.tif 000005
【００９４】
【表４】
2018034099.tif 000006
【００９５】
【表５】
2018034099.tif 000007
【００９６】
次に、試験結果について検討する。
【００９７】
上記の表３に示すように、下水汚泥Ａ１〜Ａ５（水分量Ｗ１：６２質量％，容重：０．４ｋｇ／Ｌ）においては、下水汚泥Ａ４における試験水準（高温ガスＧ１の通気量：０．３３ｍ３／ｍ３-有機汚泥類／分）において、発酵寄与率が最も大きな値となった。
【００９８】
また、上記の表４に示すように、下水汚泥Ｂ１〜Ｂ５（水分量Ｗ１：６３質量％，容重：０．５５ｋｇ／Ｌ）においては、下水汚泥Ｂ４における試験水準（高温ガスＧ１の通気量：０．４０ｍ３／ｍ３-有機汚泥類／分）において、発酵寄与率が最も大きな値となった。
【００９９】
また、上記の表５に示すように、下水汚泥Ｃ１〜Ｃ５（水分量Ｗ１：６４質量％，容重：０．７ｋｇ／Ｌ）においては、下水汚泥Ｃ４における試験水準（高温ガスＧ１の通気量：０．５０ｍ３／ｍ３-有機汚泥類／分）において、発酵寄与率が最も大きな値となった。
【０１００】
ここで、図５に示すように、横軸は下水汚泥（有機汚泥類）の容重、縦軸は高温ガスの通気量として、試験結果をプロットしてみると、発酵寄与率が最も大きくなる試験水準（すなわち、高温ガスの通気量）と有機汚泥類の容重とは、相関性の高い線形関係にあることが判明した（図５において間隔の狭いハッチングを施した領域参照。）。
【０１０１】
その相関性は、下水汚泥Ａ４，Ｂ４，Ｃ４に基づき、以下の条件式（２）となると考えられる。
０．５７×Ｄ＋０．０９  ≦  Ｖ  ≦  ０．５７×Ｄ＋０．１０  ・・・（２）
ただし、条件式（２）におけるＤは有機汚泥類の容重（ｋｇ／Ｌ）、Ｖは高温ガスの通気量（ｍ３／ｍ３−有機汚泥類／分）である。
【０１０２】
したがって、この条件式（２）を満足するように高温ガスＧ１の通気量を制御すれば、有機汚泥類の好気性発酵による発酵熱を最も効率よく利用することができる。
【０１０３】
ところで、燃料としての使用を考えた場合、乾燥処理後の有機汚泥類の有機分分解率は小さいほど好ましく、さらに水分減量率は大きいほど好ましい。具体的には、有機分分解率が３０％以下であって、水分減量率が４０％以上であれば、燃料として十分に使用できる。
【０１０４】
そこで、試験結果を参照しつつ、そのような条件を満足する範囲を検討すると、少なくとも、以下の条件式（１）の範囲（図５において間隔の広いハッチングを施した領域参照。）であれば、燃料として質の高い有機汚泥類を得られると考えられる。
０．７３×Ｄ−０．０９  ＜  Ｖ  ≦  ０．６７×Ｄ＋０．２３  ・・・（１）
ただし、条件式（１）におけるＤは有機汚泥類の容重（ｋｇ／Ｌ）、Ｖは高温ガスの通気量（ｍ３／ｍ３−有機汚泥類／分）である。
【０１０５】
この条件式（１），（２）は、試料である有機汚泥類の容重（ｋｇ／Ｌ）が０．４〜０．７の範囲について成立しているが、高温ガスの通気量と有機汚泥類の容重との相関性が比例関係であることを考慮すれば、容重がそれ以外の範囲にある有機汚泥類についても成立すると考えられる。
【０１０６】
以上説明したように、本発明の有機汚泥類乾燥方法は、上記の試験結果に基づいて判明した高温ガスの通気量と有機汚泥類の容重との相関性に基づいた方法であるので、燃料としての質の低下を抑制しつつ、有機汚泥類の乾燥を迅速に行うことができる。
【符号の説明】
【０１０７】
１…建屋、２…汚泥発酵槽、２ａ…発酵槽本体、２ｂ…砂利層、２ｃ…高温ガス用配管、２ｃ１…管部、２ｃ２…吹出口、３…供給管、３ａ…ガス流量調整弁、４…排気管、５…臭気脱臭装置、６…冷却管、７…スクレーパ、８…排水管、９…凝縮水タンク、Ｇ１…高温ガス、Ｇ２…雰囲気ガス、Ｋ…セメントキルン、Ｐ…汚泥処理施設、Ｓ…有機汚泥類、Ｗ…回収水。
【図１】
2018034099.tif 000008
【図２】
2018034099.tif 000009
【図３】
2018034099.tif 000010
【図４】
2018034099.tif 000011
【図５】
2018034099.tif 000012